(57)【要約】 【課題】  店舗等において、主として広告や告知に用いられる装飾プレートであって、ホログラム加工が施されて視覚的効果が高く、かつ低価格化が可能な装飾プレートを提供する。【解決手段】  広告、告知、装飾などのための文字や図案等の表示内容を、カラーコピー機などを用いてＯＨＰフィルム等の透明素材のフィルムに印刷する。これを、汎用品であるホログラムシートに重ね合わせて接着した後に切断加工により成形し、ラミネートフィルムによって両面から挟み込んでラミネート処理を行う。ホログラムと表示内容は、片面、両面のいずれに表れることとしてもよい。簡易な方法によって、ホログラム上による視覚効果に優れた装飾プレートの構造が実現される。【選択図】        図４
0003117320.tif 000002
【実用新案登録請求の範囲】
【請求項１】
ホログラムの地模様に表示内容が描かれた装飾プレートであって、
ホログラムシートの少なくとも一方の表面に、文字、図画、又は写真の少なくとも一つからなる表示内容が印刷された透明素材のフィルムを重ね合わせ、
重ね合わせた前記フィルムと前記ホログラムシートの両面をラミネートフィルムで覆い、ラミネート処理を施したこと
を特徴とする装飾プレート。
【請求項２】
前記透明素材のフィルムは、前記ホログラムシートの両面に重ね合わせられ、
前記ラミネート処理は、前記ホログラムシートを挟み込む上下両面の透明素材のフィルムをラミネートフィルムで覆うことにより行われていること
を特徴とする請求項１記載の装飾プレート。
【請求項３】
前記透明素材のフィルムには、前記表示内容が左右反転印刷されていて、前記透明素材のフィルムの印刷面を前記ホログラムシートに重ねた状態で、前記ラミネート処理が行われていること
を特徴とする請求項１又は２記載の装飾プレート。
【考案の詳細な説明】
【技術分野】
【０００１】
本考案は、店舗等において、主として広告や告知に用いられる装飾プレートに関するものである。
【背景技術】
【０００２】
小売店の店頭やパチンコホールなどの店内においては、新製品・新機種を紹介する広告や、キャンペーン商品・キャンペーン期間などの告知を行うために、ＰＯＰ広告（購買時点広告）と呼ばれる小型の装飾プレートを用いた手法が広く利用されている。ＰＯＰ広告を行う場合には、消費者への訴求効果を高めるために、表示内容やデザイン、プレートの形状に工夫をして、目立ちやすい装飾プレートを用いることが好ましいと考えられる。
【０００３】
ＰＯＰ広告の効果を高める方法として、単に普通の地模様のプレートに文字や図柄等を記載するのではなく、消費者の注意を喚起するべく、視覚的効果の高いホログラム加工された装飾プレートを使用することが考えられる。
【０００４】
ＰＯＰ広告に用いるプレートにホログラム加工を行う場合、現在は次のように加工処理が行われることが一般的である。図５、図６は、現在一般に使用されているホログラム加工が施された装飾プレートの、圧着前と圧着後の断面を示したものである。これらの図面に示したように、現在の装飾プレートは、表面にホログラム加工が施された塩化ビニールプレート４に、文字や図案等のＰＯＰ広告上に表示したい表示内容が印刷されたスクリーン印刷用フィルム５（インク付着部６に表示内容が印刷されている。）が圧着されたものとなっている。
【０００５】
この他に、樹脂やガラス等の透明基板上に、ホログラム箔を箔印刷し、商品ディスプレイ用の表示プレート等に用いることが可能な装飾板に関する考案が開示されている（特許文献１参照。）。
【０００６】
【特許文献１】実用新案登録第３１０４８６５号公報
【考案の開示】
【考案が解決しようとする課題】
【０００７】
図５と図６に示した現在一般に使用されている装飾プレートでは、スクリーン印刷用フィルム５を両面から圧着させるためには、間に挟む材料にはある程度の厚みと強度を備えた素材を用いることが必要とされるため、塩化ビニール製のプレートが用いられている。つまり、ホログラムシートのような汎用品を用いることができないため、塩化ビニールプレート４の表面にホログラム加工を施した、高価な材料を用いることが必要になる。
【０００８】
また、広告用の文字や装飾用の図案などの装飾プレートに表示する表示内容は、スクリーン印刷用フィルム５に直接印刷されるため、スクリーン印刷を行うための特殊な設備も必要となる。このように、現在一般に使用されている装飾プレートは、材料のコストが高くつくとともに、特殊な設備を必要とするため、専門業者でないと加工が難しいという課題を抱えており、低価格化が困難な商品となっている。
【０００９】
一方、特許文献１に記載された考案によると、視覚的効果に優れた装飾板を提供することが可能になるものの、箔印刷という特殊技術を要するものであり、専門業者でないと加工が難しく、低価格化が困難という同様の問題を有している。
【００１０】
本考案は、このような課題を解決するためになされたものであり、店舗等において、主として広告や告知に用いられる装飾プレートであって、ホログラム加工が施されて視覚的効果が高く、かつ低価格化が可能な装飾プレートを提供することを目的とするものである。  
【課題を解決するための手段】
【００１１】
このような課題を解決する本考案は、ホログラムの地模様に表示内容が描かれた装飾プレートであって、ホログラムシートの少なくとも一方の表面に、文字、図画、又は写真の少なくとも一つからなる表示内容が印刷された透明素材のフィルムを重ね合わせ、重ね合わせた前記透明素材のフィルムと前記ホログラムシートの両面をラミネートフィルムで覆い、ラミネート処理を施したことを特徴とする。
【００１２】
本考案によると、ホログラムの効果を汎用品であるホログラムシートにより生じさせ、その上に広告や告知のための表示内容を印刷した透明素材のフィルムを重ね合わせることによって、ホログラム上に表示内容を印刷したかのような装飾プレートが、簡易な構造によって提供される。透明素材のフィルムには、例えばＯＨＰフィルムを用いることによって、表示内容の印刷を一般的なカラーコピー機によって行うことが可能になる。
【００１３】
尚、本考案において透明素材のフィルムに印刷される表示内容は、文字、図画、写真やこれらの組み合わせにより構成され、表示される内容については特に限定されるものではない。例えば、広告用であれば商品やサービスの名称や説明を表示し、告知用であればキャンペーン期間のお知らせなどを表示する。また、図案や写真を表示して、店舗の装飾等に用いることとしてもよい。
【００１４】
また、本考案は、透明素材のフィルムはホログラムシートの両面に重ね合わせられ、ラミネート処理は、ホログラムシートを挟み込む上下両面の透明素材のフィルムをラミネートフィルムで覆うことによって行われていることを特徴とすることもできる。
【００１５】
このように構成すると、プレートの両面を広告や装飾等に用いることができるため、消費者等への訴求効果を、より高めることが可能になる。尚、透明素材のフィルムに印刷される表示内容は、両面ともに同一であってもよいし、両面の内容が異なるものであってもよい。
【００１６】
さらに、本考案は、透明素材のフィルムには、表示内容が左右反転印刷されていて、透明素材のフィルムの印刷面をホログラムシートに重ねた状態で、ラミネート処理が行われていることを特徴としてもよい。
【００１７】
このように構成すると、透明素材のフィルムの印刷面がラミネートフィルムには接しない内側に向くこととなるため、ラミネート処理時において印刷面において滲み等が生じるリスクを低減することが可能になる。
【考案の効果】
【００１８】
本考案によって、高価な材料や特殊な設備を要しない簡易な方法によって、ホログラム加工が施されて視覚的効果が高い装飾プレートを提供することが可能になり、ホログラム加工が施された装飾プレートの低価格化が実現できる。
【考案を実施するための最良の形態】
【００１９】
本考案の実施形態について、図１〜図４を用いて以下に詳細に説明する。尚、以下に説明する実施形態は本考案にかかる装飾プレートの一例であって、装飾プレートに用いられる材料やデザインなどは、かかる実施例に限定されるものではない。
【００２０】
図１は、本考案にかかる装飾プレートの装飾面の正面図である。図２は、本考案にかかる装飾プレートを店舗棚に設置する一例を示す図である。図３は、本考案にかかる装飾プレートの圧着前の断面図である。図４は、本考案にかかる装飾プレートの圧着後の断面図である。
【００２１】
図１は、本考案にかかる装飾プレートの一例で、表示内容が表れる装飾面を正面から見た図である。薄いグレーで着色された丸型の部分がホログラムの地模様となっており、その上に店舗の開店を知らせる「ＯＰＥＮ！」の文字と日付が表示されている。尚、装飾プレートの形状はこのような円形に限定されるものではなく、表示内容についても図形やキャラクター等のデザインを加えることとしてもよい。
【００２２】
図２は、本考案にかかる装飾プレートを店舗棚に設置するイメージの一例を表したものである。図２に示したように、店舗に配置される什器の上部に装飾プレートを並べて配置することによって、開店時や改装時、キャンペーン時などにおける視覚的な装飾効果を高めることが可能になる。このような什器への設置の他にも、例えばパチンコホールであれば、パチンコ台毎に機種等を示す装飾プレートを設置することによって、パチンコ台の種類を告知する効果を高めることができる。
【００２３】
図２の例では、装飾プレートの両面にホログラムと表示内容を表すことによって、片面のみの場合に比べ、さらに装飾効果を高めることができる。本考案にかかる装飾プレートは、従来の製品より大幅な低価格化を実現するものであるため、同じ予算で設置する数を増やして効果を高めることも可能になる。
【００２４】
図３、図４を用いて、本考案にかかる装飾プレートの構造について説明する。図３は、本考案にかかる装飾プレートの圧着前の断面図である。ホログラムシート１には、表面がホログラム処理済のホログラムシートの汎用品を用いればよい。ホログラム処理は片面のみであってもよいが、両面に広告等を表示したい場合には、両面がホログラム処理済であることが必要になる。
【００２５】
ＯＨＰフィルム２には、広告や告知、装飾用のデザインなどの表示内容が印刷されている。ＯＨＰフィルムを使用することによって、カラーコピー機によって表示内容を簡単に印刷することが可能になる。尚、ＯＨＰフィルム２は、印刷が可能な透明素材であればよく、ＯＨＰフィルム以外の透明シートによって代替することとしてもよい。
【００２６】
表示内容が印刷されたＯＨＰフィルム２は、ホログラムシート１に重ね合わされる。その結果、表示内容を正面から見るとホログラムが地模様となり、あたかもホログラム上に印刷したかのような外観を生じさせることができる。表示内容を片面のみに表示する場合には、１枚のＯＨＰフィルム２をホログラムシート１のホログラム処理済の面のみに重ね合わせればよいが、両面に表示する場合には、２枚のＯＨＰフィルム２をホログラムシート１の両面に重ね合わせることが必要になる。
【００２７】
尚、ＯＨＰフィルム２は、ホログラムシート１に重ね合わせる際には、ＯＨＰフィルム２の印刷面がホログラムシート１に重なる構造となるように、印刷面を内側に向けることが好ましい。印刷面が外側になると、後のラミネート処理時に滲みが生じたり、使用時に表面が損傷した際に、印刷面が傷ついて表示内容が読み取れなくなったりするリスクが高まるためである。印刷面を内側に向けて重ね合わせるためには、ＯＨＰフィルム２には表示内容を左右反転印刷することが必要になる。
【００２８】
ＯＨＰフィルム２とホログラムシート１に重ね合わせると、ラミネート処理を施す前の段階で、ＯＨＰフィルム２とホログラムシート１を接着する。この段階で接着を行っておかないと、切断加工時やラミネート処理時において、ＯＨＰフィルム２とホログラムシート１の間にずれが発生して、表示内容が本来予定していた図案どおりに表示されなくなってしまうリスクが生じるためである。
【００２９】
接着されたＯＨＰフィルム２とホログラムシート１については、装飾プレートの最終的な形状に合わせて、切断加工が行われる。切断加工が行われた仕掛品をラミネートフィルム３で両面から挟み込み、ラミネート処理（パウチ処理）を行う。ラミネート処理の方法は特に限定されるものではなく、加熱圧着方式のホットラミネート方式の他に、コールドラミネート方式を採用することもできる。
【００３０】
図４は、表示内容を両面に表した、圧着後の装飾プレートの断面を示している。これまで説明した材料を重ね合わせて圧着した場合、装飾プレートの厚みは０．７〜０．８ｍｍ程度となることが通常である。
【図面の簡単な説明】
【００３１】
【図１】本考案にかかる装飾プレートの装飾面の正面図である。
【図２】本考案にかかる装飾プレートを店舗棚に設置する一例を示す図である。
【図３】本考案にかかる装飾プレートの圧着前の断面図である。
【図４】本考案にかかる装飾プレートの圧着後の断面図である。
【図５】ホログラム加工が施された従来の装飾プレートの圧着前の断面図である。
【図６】ホログラム加工が施された従来の装飾プレートの圧着後の断面図である。
【符号の説明】
【００３２】
１  ホログラムシート
２  ＯＨＰフィルム
３  ラミネートフィルム
４  塩化ビニールプレート
５  スクリーン印刷用フィルム
６  インク付着部
【図１】
0003117320.tif 000003
【図２】
0003117320.tif 000004
【図３】
0003117320.tif 000005
【図４】
0003117320.tif 000006
【図５】
0003117320.tif 000007
【図６】
0003117320.tif 000008